(57)【特許請求の範囲】
【請求項１】
操作部が設けられた筐体を有する電子機器に用いられ、前記操作部を照明する操作部用照明装置において、
本体に取り付けられた前記操作部の周囲に配置され、前記操作部の全周のうち少なくとも半分以上を取り囲む周壁と、
前記本体に取り付けられ、前記周壁を覆って、前記筐体の外周面の一部を構成するカバーであって、前記操作部の一部を外部に露出する開口部が形成されたカバーと、
前記周壁に配置され、前記開口部において前記操作部の周囲の隙間から外部に射出する光を発光する光源とを備え、
前記操作部の外周面、前記操作部と対向する、前記周壁の内壁面、および前記カバーの内壁面は、前記光源の光を反射する反射面で形成され、
前記光源は、前記周壁の内壁面において、前記操作部を挟んで対向する２つの位置のそれぞれに少なくとも１つずつ設けられ、
前記筐体は、前記操作部の前面が露出される面を正面とした場合に、前記正面と、前記正面と対向する背面と、前記正面と前記背面とを結ぶ前後方向に延びる、上面、下面、および両側面を含む周面とで構成された形状であり、
前記カバーは、前記正面と前記周面の一部を構成する第１カバーであって、
前記開口部は、前記正面において前記操作部の前面を露出する前面部分と、前記前面部分から連続した形態で形成され、前記操作部の側面の一部を露出する側面部分とを含む操作部用照明装置。
【請求項２】
前記光源は、前記対向する２つの位置の一方に設けられた第１光源および第２光源と、他方に設けられた第３光源の少なくとも３つの光源を有しており、
前記第１光源と前記第３光源は、照射方向を前記側面部分に向けて配置され、前記第２光源は前記第１光源の向きと１８０°反対の向きに配置されている請求項１に記載の操作部用照明装置。
【請求項３】
前記第１カバーの内部に配置される第２カバーを有し、
前記周壁は、前記第２カバーと一体に形成されている請求項２に記載の操作部用照明装置。
【請求項４】
前記操作部と、前記光源が配置される前記周壁との間には、光透過性を有する拡散シートが配されている請求項１から３のいずれか１項に記載の操作部用照明装置。
【請求項５】
前記電子機器は、音声出力端子を有する音響機器であり、
前記操作部は、ボリューム調整つまみである請求項１から４のいずれか１項に記載の操作部用照明装置。
【請求項６】
前記操作部は、金属製である請求項１から５のいずれか１項に記載の操作部用照明装置。
【請求項７】
操作部が設けられた筐体を有する電子機器において、
前記操作部が取り付けられる本体と、
前記操作部の周囲に配置され、前記操作部の全周のうち少なくとも半分以上を取り囲む周壁と、
前記本体に取り付けられ、前記周壁を覆って、前記筐体の外周面の一部を構成するカバーであって、前記操作部の一部を外部に露出する開口部が形成されたカバーと、
前記周壁に配置され、前記開口部において前記操作部の周囲の隙間から外部に射出する光を発光する光源とを備え、
前記操作部の外周面、前記操作部と対向する、前記周壁の内壁面、および前記カバーの内壁面は、前記光源の光を反射する反射面で形成され、
前記光源は、前記周壁の内壁面において、前記操作部を挟んで対向する２つの位置のそれぞれに少なくとも１つずつ設けられ、
前記筐体は、前記操作部の前面が露出される面を正面とした場合に、前記正面と、前記正面と対向する背面と、前記正面と前記背面とを結ぶ前後方向に延びる、上面、下面、および両側面を含む周面とで構成された形状であり、
前記カバーは、前記正面と前記周面の一部を構成する第１カバーであって、
前記開口部は、前記正面において前記操作部の前面を露出する前面部分と、前記前面部分から連続した形態で形成され、前記操作部の側面の一部を露出する側面部分とを含む電子機器。
【発明の詳細な説明】
【技術分野】
【０００１】
本発明は、電子機器の操作部を照明する操作部用照明装置および電子機器に関するものである。
【背景技術】
【０００２】
一般に、電子機器には、電子機器の操作に用いられる操作部が設けられている。電子機器がヘッドホンアンプなどの携帯型音響機器であれば、操作部は、例えば、ボリュームの調整操作に用いられるボリューム調整つまみなどである。
【０００３】
このような電子機器には、操作部を照明する操作部用照明装置を設けることにより、操作部の操作性の向上と装飾性の向上とを図ったものもある。例えば、特許文献１に記載された操作部用照明装置は、アクリル樹脂などの透明材料により形成された操作部と、ＬＥＤなどの光源と、操作部の外周面の一部を外部に露出させる開口部を有するカバーとを備えており、操作部を導光部材として使用して、操作部を照明している。
【０００４】
特許文献１の操作部用照明装置において、カバー内において光源が発光すると、光源からの光は、カバー内の操作部に入射する。カバーの内壁面は、光源からの光を反射させる反射面で形成されているため、操作部には光源から直接入射する光に加えて、内壁面で反射した反射光が入射する。これにより、カバー内において、光源の光は、操作部の外周面にムラ無く入射する。操作部は透明材料であるため、内部に入射した光は操作部全体に導光される。操作部は、一部がカバーから露出しているので、露出部分の外周面から光が均一に射出する。
【０００５】
このように、特許文献１では、操作部を導光部材として機能させることで、均一な照明を可能にして、装飾性を向上させている。
【先行技術文献】
【特許文献】
【０００６】
【特許文献１】特開２００７−１６５２１３号公報
【発明の概要】
【発明が解決しようとする課題】
【０００７】
しかしながら、特許文献１の操作部用照明装置は、操作部が透明材料でなければならないため、操作部が透明材料で無い場合は、採用することができない。例えば、電子機器の操作パネルや操作パネルに設けられる操作部は、金属製である場合も多く、この場合には操作部を導光部材として使用できないため、特許文献１の操作部用照明装置を採用できない。
【０００８】
このため、操作部用照明装置において、操作部に透明材料を使用しない場合でも、操作部の装飾性を向上させたいという要望があった。
【０００９】
例えば、操作部が金属製である場合には、操作部の装飾性を向上させるため、操作部の周囲を照明する方法が考えられる。この場合において、操作部の周囲の照明にムラがあると好ましくない。照明ムラをなくす対策としては、操作部の周囲に配置する光源の数を増やしたり、プラスチック製のライトガイドなどの導光部材を使用して、操作部の周囲において照明の光量を均一化する方法が考えられる。しかし、こうした対策は部品点数が増加してコストや設置スペースが増加するという問題を生じる。
【００１０】
本発明は、部品点数の増加を抑えつつ、操作部の周囲を均一に照明することができる操作部用照明装置および操作部用照明装置を内蔵した電子機器を提供することを目的とする。
【課題を解決するための手段】
【００１１】
上記目的を達成するために、本発明は、操作部が設けられた筐体を有する電子機器に用いられ、操作部を照明する操作部用照明装置であって、本体に取り付けられた操作部の周囲に配置され、操作部の全周のうち少なくとも半分以上を取り囲む周壁と、本体に取り付けられ、周壁を覆って、筐体の外周面の一部を構成するカバーであって、操作部の一部を外部に露出する開口部が形成されたカバーと、周壁に配置され、開口部において操作部の周囲の隙間から外部に射出する光を発光する光源とを備え、操作部の外周面、操作部と対向する、周壁の内壁面、およびカバーの内壁面は、光源の光を反射する反射面で形成され、
光源は、周壁の内壁面において、操作部を挟んで対向する２つの位置のそれぞれに少なくとも１つずつ設けられ、筐体は、操作部の前面が露出される面を正面とした場合に、正面と、正面と対向する背面と、正面と背面とを結ぶ前後方向に延びる、上面、下面、および両側面を含む周面とで構成された形状であり、カバーは、正面と周面の一部を構成する第１カバーであって、開口部は、正面において操作部の前面を露出する前面部分と、前面部分から連続した形態で形成され、操作部の側面の一部を露出する側面部分とを含んでいる。
【００１４】
光源は、対向する２つの位置の一方に設けられた第１光源および第２光源と、他方に設けられた第３光源の少なくとも３つの光源を有しており、第１光源と第３光源は、照射方向を側面部分に向けて配置され、第２光源は第１光源の向きと１８０°反対の向きに配置されていることが好ましい。
【００１５】
第１カバーの内部に配置される第２カバーを有し、周壁は、第２カバーと一体に形成されていることが好ましい。
【００１６】
操作部と、光源が配置される周壁との間には、光透過性を有する拡散シートが配されていることが好ましい。
【００１７】
電子機器は、音声出力端子を有する音響機器であり、操作部は、ボリューム調整つまみであることが好ましい。
【００１８】
操作部は、金属製であることが好ましい。
【００１９】
本発明は、操作部が設けられた筐体を有する電子機器であって、操作部が取り付けられる本体と、操作部の周囲に配置され、操作部の全周のうち少なくとも半分以上を取り囲む周壁と、本体に取り付けられ、周壁を覆って、筐体の外周面の一部を構成するカバーであって、操作部の一部を外部に露出する開口部が形成されたカバーと、周壁に配置され、開口部において操作部の周囲の隙間から外部に射出する光を発光する光源とを備え、操作部の外周面、操作部と対向する、周壁の内壁面、およびカバーの内壁面は、光源の光を反射する反射面で形成され、光源は、周壁の内壁面において、操作部を挟んで対向する２つの位置のそれぞれに少なくとも１つずつ設けられ、筐体は、操作部の前面が露出される面を正面とした場合に、正面と、正面と対向する背面と、正面と背面とを結ぶ前後方向に延びる、上面、下面、および両側面を含む周面とで構成された形状であり、カバーは、正面と周面の一部を構成する第１カバーであって、開口部は、正面において操作部の前面を露出する前面部分と、前面部分から連続した形態で形成され、操作部の側面の一部を露出する側面部分とを含んでいる。
【発明の効果】
【００２０】
本発明によれば、部品点数の増加を抑えつつ、操作部の周囲を均一に照明することができる操作部用照明装置および操作部用照明装置を内蔵した電子機器を提供することができる。
【図面の簡単な説明】
【００２１】
【図１】操作部用照明装置を備えた音響機器の外観を示す斜視図である。
【図２】カバーを本体から取り外した状態を示す斜視図である。
【図３】カバーを本体から取り外した状態を示す正面図である。
【図４】カバーを本体から取り外した状態を示す拡大正面図である。
【図５】カバーの斜視図である。
【図６】カバーを本体から取り外した状態を示す拡大斜視図である。
【図７】操作部用照明装置の作用を説明する説明図である。
【図８】操作部用照明装置の作用を説明する説明図である。
【発明を実施するための形態】
【００２２】
図１および図２において、電子機器である音響機器１０は、例えば、ヘッドホンアンプである。音響機器１０には、ボリュームの調整操作に用いられる操作部であるボリューム調整つまみ１３が設けられている。
【００２３】
ボリューム調整つまみ１３は、例えば、外形が円筒形状をしており、その外周面の一部が筐体１１の外周面から外部に露出している。筐体１１において、ボリューム調整つまみ１３の外周面のうち、円形の前面１３Ａが露出している面を正面とした場合に、筐体１１は、正面１１Ａと、正面１１Ａと対向する背面１１Ｂと、正面１１Ａと背面１１Ｂとを結び前後方向に延びる、上面１１Ｃ、下面１１Ｄ、および両側面１１Ｅ、１１Ｆを含む周面とで構成された箱型形状である。周面において、上面１１Ｃと下面１１Ｄと接続する側面１１Ｅ、１１Ｆは、曲面で構成されており、筐体１１の横断面が略長円形状をしている。
【００２４】
また、筐体１１の正面１１Ａには、ボリューム調整つまみ１３の他に、ヘッドホンケーブルが接続されるヘッドホン端子１８と、外部機器（図示せず）からデジタル又はアナログの音声信号を入力するための入力端子１９とが設けられている。ヘッドホン端子１８は音響機器１０の音声出力端子である。
【００２５】
背面１１Ｂには、電源端子、ＵＳＢ（Universal Serial Bus）コネクタ、外部機器に音声信号の出力を行うための音声出力端子（いずれも図示せず）なども設けられる。ＵＳＢコネクタには、外部機器から音声信号の入力と給電との両方が可能なタイプと、音声信号の入力のみが可能なタイプとがある。出力端子は、例えば、アナログの音声信号を外部機器に出力する。
【００２６】
側面１１Ｆには、各種の操作を行うための複数の操作スイッチ１７が設けられている。操作スイッチ１７は、例えば、音声信号のゲインをＨＩＧＨ／ＬＯＷの２値で切り替えるスイッチ、ＵＳＢを用いた給電のＯＮ／ＯＦＦを切り替えるスイッチ、音声信号の入力のデジタル／アナログを切り替えるスイッチなどである。
【００２７】
音響機器１０には、後述するように、ボリューム調整つまみ１３の周囲を照明する操作部用照明装置が内蔵されている。このような操作部用照明装置を設けることにより、ボリューム調整つまみ１３の操作性や装飾性の向上を図っている。音響機器１０においては、ボリューム調整つまみ１３は、操作部の中でも操作頻度が高いため、比較的サイズも大きく、筐体１１において最も目立つ位置に配置される場合が多い。そのため、ボリューム調整つまみ１３に対して操作部用照明装置を設けることによる装飾向上効果は大きい。
【００２８】
図２に示すように、筐体１１は、本体１２と本体１２の前面に取り付けられるカバー２１とで構成される。カバー２１は、第１カバーに相当する。本体１２には、その前面に、カバー２１の内部に配置される内部カバー（第２カバーに相当する）２２が設けられている。符号２３は、後述するように、光を拡散する拡散シートである。
【００２９】
本体１２の内部には、ボリューム調整つまみ１３、ヘッドホン端子１８、入力端子１９などが取り付けられる回路基板（図示せず）などが収容されており、内部カバー２２は、本体１２の前面において本体１２の内部を覆う。内部カバー２２には、ボリューム調整つまみ１３、ヘッドホン端子１８、入力端子１９を挿通させる開口が形成されており、内部カバー２２が取り付けられた状態において、ボリューム調整つまみ１３等は、内部カバー２２から外部に露出した状態で配置される。
【００３０】
ボリューム調整つまみ１３は、回転軸Ｏ回りに回転操作が可能とされている。本体１２の内部に収容される回路基板には、入力された音声を増幅する増幅回路などの制御回路が設けられている。ボリューム調整つまみ１３が回転操作されると、ヘッドホンに出力される音声のボリュームが調整される。ボリューム調整つまみ１３は、例えばアルミニウムなどの金属製である。
【００３１】
ボリューム調整つまみ１３は、回転軸Ｏと直交する平面である前面１３Ａと、回転軸Ｏ回りの曲面で構成される側面１３Ｂとを有しており、少なくとも側面１３Ｂは、光を反射する反射面で構成される。
【００３２】
図３に示すように、内部カバー２２には、ボリューム調整つまみ１３の周囲に配置される、周壁１４が設けられている。周壁１４は、例えば、ボリューム調整つまみ１３の周囲において、上面１１Ｃ側を除く、側面１１Ｅ側、側面１１Ｆ側、下面１１Ｄ側、背面１１Ｂ側に配置されている。すなわち、内部カバー２２において、周壁１４は、ボリューム調整つまみ１３を収容するように凹型で形成されており、ボリューム調整つまみ１３の側面１３Ｂと背面と対向する面を有している。このように、ボリューム調整つまみ１３は、全周のうち少なくとも半分以上が周壁１４に取り囲まれている。
【００３３】
周壁１４の背面１１Ｂ側の面には、ボリューム調整つまみ１３が取り付けられる回転軸を挿通する挿通穴（図示せず）が形成されている。内部カバー２２が取り付けられた状態では、挿通穴から回転軸が突出し、突出した回転軸にボリューム調整つまみ１３が差し込まれる。
【００３４】
内部カバー２２と周壁１４は、例えば、プラスチック材料で一体成形されている。内部カバー２２の外周面は、周壁１４部分を含めた全体に対して、メッキが施されており、これにより周壁１４の内壁面は光を反射する反射面となっている。
【００３５】
また、周壁１４の内壁面において、ボリューム調整つまみ１３を挟んで対向する２つの位置には光源１５が配置されている。より具体的には、光源１５は、周壁１４の内壁面において、側面１１Ｅ側と、側面１１Ｆ側に位置する２つの対向面１４Ａのそれぞれに配置されている。光源１５は、ボリューム調整つまみ１３の周囲を照明するためのものであり、操作部用照明装置の主要部を構成する。
【００３６】
図４に示すように、光源１５は、本体１２の内部に収容される回路基板に設けられた台座１６Ａ、１６Ｂに取り付けられる。内部カバー２２には、各台座１６Ａ、１６Ｂを挿通する切り欠きや開口が形成されている。各台座１６Ａ、１６Ｂは、切り欠きや開口を通して、各対向面１４Ａからボリューム調整つまみ１３の側面１３Ｂに向けて突出している。
【００３７】
光源１５は、例えば、ＬＥＤ（Light Emitting Diode）である。もちろん、ＬＥＤに限らず、ＥＬ（Electro Luminescence）素子などでもよい。光源１５は、２つの対向面１４Ａの一方に設けられた第１光源１５Ａと第２光源１５Ｂと、他方の対向面１４Ａに設けられた第３光源１５Ｃとを有する。
【００３８】
台座１６Ａ、１６Ｂは、平板形状であり、上面１１Ｃ側に一方の面（上面）を、下面１１Ｄ側に他方の面（下面）を向けた状態で配置されている。正面から見て、左側の台座１６Ａの上面には、第１光源１５Ａが設けられており、下面には第２光源１５Ｂが設けられている。右側の台座１６Ｂの上面には、第３光源１５Ｃが設けられている。
【００３９】
第１光源１５Ａおよび第３光源１５Ｃは、照射方向を上面１１Ｃ側に向けて配置され、第２光源１５Ｂは、第１光源１５Ａの向きと１８０°反対の向き、すなわち、下面１１Ｄ側に向けて配置されている。
【００４０】
このように配置する理由は、周壁１４の上面１１Ｃ側が開口していることに起因する。すなわち、上面１１Ｃ側が開口しているため、光源１５から上面１１Ｃ側に向かう光はロスが大きい。光のロスが大きな上面１１Ｃ側の光量低下を補うために、３つの光源１５Ａ〜１５Ｃのうちの２つの光源１５Ａ、１５Ｃは、照射方向を上面１１Ｃ側に向けて配置されている。
【００４１】
また、光源１５の位置は、ボリューム調整つまみ１３の中心から、下面１１Ｄ側にオフセットされている。オフセットされている理由も、周壁１４の上面１１Ｃ側が開口していることに起因する。つまり、光源１５の光はボリューム調整つまみ１３の周囲を照明するものであるから、光の多くを、周壁１４の内壁面で反射させて、ボリューム調整つまみ１３の周囲に回り込ませる必要がある。しかし、光源１５の位置が開口に近いと、光のロスが多きく、ボリューム調整つまみ１３の下方部分に回り込ませる光量が低下する。そのため、光源１５を、開口されている上方側と反対の下方側にオフセットさせることで、光源１５が発光する光のうち、ボリューム調整つまみ１３の周囲において、下方部分に回り込む量を確保している。
【００４２】
また、ボリューム調整つまみ１３の側面１３Ｂと、光源１５が配置される周壁１４との間には、光透過性を有する拡散シート２３が配されている（図２も参照）。拡散シート２３は、例えば、紙製であり、光源１５からの直接光や周壁１４で反射した光を一部透過する。拡散シート２３を透過して、拡散シート２３とボリューム調整つまみ１３との間に進入した光は、ボリューム調整つまみ１３の側面１３Ｂで反射する。反射光は、一部は拡散シート２３を透過するが一部は反射する。こうした光の反射を通じた拡散作用により、ボリューム調整つまみ１３の側面１３Ｂの近傍において、側面１３Ｂの外形に沿って光を回り込ませることができる。これにより、ボリューム調整つまみ１３の外形に倣って輪郭がはっきりとした照明光を生成することができる。
【００４３】
また、拡散作用により、ボリューム調整つまみ１３の周囲における照明の均一性も向上する。しかも、拡散シート２３を通して光を外部に放出するため、行灯や提灯のような、やわらかな照明を生成することが可能となる。
【００４４】
符号３１は、拡散シート２３を保持するリブであり、周壁１４の背面１１Ｂ側の部分に形成される。ボリューム調整つまみ１３の周囲において、リブ３１は、ボリューム調整つまみ１３の円筒形状の外形に沿った位置に複数個配置されている。例えば、拡散シート２３は外力が働いていない状態では帯状をしており、この拡散シート２３がリブ３１に取り付けられる際に、ボリューム調整つまみ１３の外形に合わせて円筒形状に丸められて、その形状が維持されるようにリブ３１によって保持される。
【００４５】
図５および図６に示すように、カバー２１は、周壁１４を含む内部カバー２２を覆って、筐体１１の外周面の一部を構成するカバーである。カバー２１は、本体１２に取り付けられる。カバー２１は、アルミニウムなどの金属製であり、図５に示すように、カバー２１の内壁面２１Ａは、光を反射する反射面である。
【００４６】
カバー２１は、外周面が、筐体１１の正面１１Ａと、上面１１Ｃ、下面１１Ｄ、および側面１１Ｅ、１１Ｆを含む周面の一部とを構成する。カバー２１は、内部が空洞となっているカップ形状であり、内部に内部カバー２２が配置される。また、カバー２１は、周面を構成する後端部から、正面１１Ａを構成する前端部に向けて先細となるように傾斜したテーパ形状となっている。カバー２１には、ボリューム調整つまみ１３の一部を外部に露出する開口部２７が形成されている。
【００４７】
開口部２７は、カバー２１が本体１２に取り付けられた状態において、正面１１Ａにおいてボリューム調整つまみ１３の前面１３Ａを露出する前面部分２７Ａと、前面部分２７Ａから連続した形態で形成され、ボリューム調整つまみ１３の側面１３Ｂの一部を露出する側面部分２７Ｂとを有する。側面部分２７Ｂは、カバー２１の正面１１Ａから周面に向かう部分を切り欠くことによって形成される。
【００４８】
こうした開口部２７の形状により、ボリューム調整つまみ１３の側面１３Ｂの一部を外部に露出させることができるため、ボリューム調整つまみ１３を正面１１Ａから突出させなくても、ボリューム調整つまみ１３の操作が可能となる。つまり、ボリューム調整つまみ１３を突出させない態様とすることで、正面１１Ａのデザイン性を確保しつつ、開口部２７の側面部分２７Ｂから側面１３Ｂを露出させることによって良好な操作性を確保している。
【００４９】
図１に示すように、カバー２１が取り付けられた状態では、開口部２７において、ボリューム調整つまみ１３の周囲には隙間３０が形成される。この隙間から、カバー２１内部にある光源１５の光がカバー２１の外部に射出される。本例において、ボリューム調整つまみ１３を照明する操作部用照明装置は、周壁１４、カバー２１、光源１５および拡散シート２３で構成される。
【００５０】
本体１２とカバー２１は、カバー２１を、内部カバー２２を覆うように取り付けた状態で、例えば、ネジ止めされることにより、両者が結合されて音響機器１０が組み立てられる。
【００５１】
図６に示すように、カバー２１には、ヘッドホン端子１８をカバー２１の外部に露出させるためのヘッドホン端子用開口２４と、入力端子１９をカバー２１の外部に露出させるため入力端子用開口２５とが形成されている。ヘッドホン端子用開口２４によりヘッドホンケーブルが接続可能となり、入力端子用開口２５により外部機器用ケーブルが接続可能となっている。
【００５２】
次に、音響機器１０の操作部用照明装置の作用について説明する。図７および図８に示すように、本体１２にカバー２１が取り付けられた状態では、周壁１４を含む内部カバー２２が覆われる。また、本体１２に取り付けられたボリューム調整つまみ１３の側面１３Ｂについても、左右と下方部分がカバー２１によって覆われる。ボリューム調整つまみ１３の前面１３Ａと側面１３Ｂの上方部分は、開口部２７から外部に露出される。
【００５３】
音響機器１０の電源を入れると、光源１５が点灯する。光源１５は、周壁１４に配置されており、ボリューム調整つまみ１３の側面１３Ｂと周壁１４の対向面１４Ａとの間に位置する。開口部２７において、ボリューム調整つまみ１３の周囲には隙間３０が形成されている。この隙間３０から、光源１５の光がカバー２１の外部に射出される。これにより、ボリューム調整つまみ１３の周囲が照明される。
【００５４】
光源１５は、周壁１４に配置されており、ボリューム調整つまみ１３の側面１３Ｂと周壁１４との間に位置する。ボリューム調整つまみ１３の側面１３Ｂと、周壁１４の対向面１４Ａと、カバー２１の内壁面２１Ａとは、光を反射させる反射面となっている。このため、光源１５の光は、各反射面により反射を繰り返して多方向に拡散される。こうした拡散作用によって光は伝播して、ボリューム調整つまみ１３の周囲に回り込む。このため、隙間３０から射出される光は、照度ムラが無く、ボリューム調整つまみ１３の周囲において光量が均一となる。
【００５５】
また、本例では、周壁１４とボリューム調整つまみ１３との間に、拡散シート２３が配置されているため、さらに拡散効果が向上する。すなわち、光源１５の光は、一部は拡散シート２３を透過する。そして、透過した光は、ボリューム調整つまみ１３の側面１３Ｂで反射し、反射光の一部は拡散シート２３で反射して、再び側面１３Ｂで反射する。こうした光の反射を通じた拡散作用により、ボリューム調整つまみ１３の側面１３Ｂの近傍において、側面１３Ｂの外形に沿って光を回り込ませることができる。これにより、ボリューム調整つまみ１３の外形に倣って輪郭がはっきりとした照明光を生成することができる。
【００５６】
また、拡散作用により、ボリューム調整つまみ１３の周囲における照明の均一性も向上する。しかも、拡散シート２３を通して光を外部に放出するため、行灯や提灯のような、やわらかな照明を生成することが可能となり、照明の装飾効果が向上する。なお、拡散シート２３は、光透過性を有する樹脂製のシートであってもよい。白色の光透過性シートであれば、紙製のシートと同じ効果を得ることができる。
【００５７】
本例の操作部用照明装置は、ボリューム調整つまみ１３の側面１３Ｂ、周壁１４、カバー２１の内壁面２１Ａを反射面として利用して、光を拡散させる構成である。そのため、例えば、ボリューム調整つまみ１３の周囲に多数の光源を配置したり、光を導光するプラスチック製のライトガイドなどを使用する場合と比較して、部品点数の増加を抑えつつ、ボリューム調整つまみ１３などの操作部の周囲を均一に照明することができる。
【００５８】
本例のような音響機器１０は、携帯型であるため、部品点数が減ることによる、部品コストや部品の設置スペースの低下によるメリットが大きいため、本発明は特に有効である。
【００５９】
また、本例では、周壁１４等に加えて、拡散シート２３を使用しているが、拡散シート２３は、プラスチック製のライトガイドなどの導光部材と比較すると、部品コストや設置スペースも小さくて済む。そのため、拡散シート２３を設けた場合でも、部品コストや設置スペースの低下によるメリットは得られる。
【００６０】
さらに、周壁１４は、内部カバー２２と一体に形成されているため、内部カバー２２と別体で形成する場合と比べて、部品コストや設置スペースの点でさらに有利である。
【００６１】
また、本例の開口部２７には、ボリューム調整つまみ１３の側面１３Ｂのうち、上面１１Ｃ側を露出する側面部分２７Ｂが形成されている。そして、側面部分２７Ｂと対向して、周壁１４の上面１１Ｃ側も開口している。このため、光源１５から上面１１Ｃ側に向かう光はロスが大きく、光量が低下する。そのため、３つの光源１５Ａ〜１５Ｃのうちの２つの光源１５Ａ、１５Ｃは、照射方向を上面１１Ｃ側に向けて配置され、上方部分における光量低下が抑えられる。
【００６２】
また、各光源１５Ａ〜１５Ｃは、ボリューム調整つまみ１３の下方側にオフセットして配置されている。これにより、ボリューム調整つまみ１３の周囲において、下方部分に回り込む量を確保している。
【００６３】
また、本例では、ボリューム調整つまみ１３、カバー２１をアルミニウムなどの金属製としている。金属は、電磁ノイズの対策に有利であるため、信号ノイズの低減要求の高いヘッドホンアンプなどの音響機器１０に対して、用いられることが多い。金属製の部品であれば、反射面を形成することは容易であるため、本発明を適用しやすい。もちろん、ボリューム調整つまみ１３、カバー２１は全体が金属製でなくてもよく、例えば、周壁１４のように樹脂材料にメッキを施して反射面を形成したものでもよい。また、周壁１４についても金属製としてもよい。
【００６４】
また、開口部２７は、側面部分２７Ｂを有していなくてもよく、前面部分２７Ａのみでもよい。
【００６５】
また、上記実施形態では、拡散シート２３を設けた例で説明したが、拡散シート２３を設けなくてもよい。もちろん、上述した通り、拡散シート２３を設けることにより、拡散効果や装飾効果が向上するため、拡散シート２３が設けられていることが好ましい。
【００６６】
なお、上記実施形態では、操作部用照明装置は、操作部をボリューム調整つまみ１３とした例で説明したが、ボリューム調整つまみ１３以外の操作部にも適用可能である。操作部としては、回転操作される操作部だけでなく、押圧操作される押しボタンでも良い。
【００６７】
本発明は、上記実施形態に限定されず、本発明の趣旨を逸脱しない範囲で適宜変更が可能である。
【符号の説明】
【００６８】
１０  音響機器
１１  筐体
１２  本体
１３  ボリューム調整つまみ
１３Ａ  前面
１３Ｂ  側面
１４  周壁
１４Ａ  対向面
１５  光源
１５Ａ  第１光源
１５Ｂ  第２光源
１５Ｃ  第３光源
２１  カバー
２１Ａ  内壁面
２２  内部カバー
２３  拡散シート
２７  開口部
２７Ａ  前面部分
２７Ｂ  側面部分
３０  隙間
３１  リブ
【図１】
0006631298.tif 000002
【図２】
0006631298.tif 000003
【図３】
0006631298.tif 000004
【図４】
0006631298.tif 000005
【図５】
0006631298.tif 000006
【図６】
0006631298.tif 000007
【図７】
0006631298.tif 000008
【図８】
0006631298.tif 000009